(57)【要約】【課題】ユーザが複数のサービスを利用する際の利便性を向上させる。【解決手段】ログデータバンクは、複数のサービスから複数のユーザのログデータを収集する収集部と、収集したログデータの各サービスへの公開レベルをユーザ毎に設定することが可能な公開レベル設定部と、設定された公開レベルに基づいて、収集したログデータの複数のサービスへの提供を制御する提供制御部とを備える。本技術は、例えば、複数のネットワークサービスのログデータを管理するサーバに適用できる。【選択図】図３
2014029587.tif 000002
【特許請求の範囲】
【請求項１】
複数のサービスから複数のユーザのログデータを収集する収集部と、
収集したログデータの各サービスへの公開レベルをユーザ毎に設定することが可能な公開レベル設定部と、
設定された前記公開レベルに基づいて、収集したログデータの複数のサービスへの提供を制御する提供制御部と
を備える情報処理装置。
【請求項２】
前記公開レベル設定部は、さらに公開先のサービス毎に前記公開レベルを設定することが可能である
請求項１に記載の情報処理装置。
【請求項３】
前記公開レベル設定部は、さらにログデータを公開するユーザと閲覧するユーザとの関係に基づいて前記公開レベルを設定することが可能である
請求項１に記載の情報処理装置。
【請求項４】
前記公開レベル設定部は、さらに公開先のサービスがログデータを公開するユーザが利用しているサービスであるか否かに基づいて前記公開レベルを設定することが可能である
請求項１に記載の情報処理装置。
【請求項５】
前記公開レベル設定部は、さらにログデータの種類毎に前記公開レベルを設定することが可能である
請求項１に記載の情報処理装置。
【請求項６】
前記公開レベル設定部は、さらに公開先のサービス、ログデータを公開するユーザと閲覧するユーザとの関係、公開先のサービスがログデータを公開するユーザが利用しているサービスであるか否か、及び、ログデータの種類のうちの１つ、又は、２つ以上の組み合わせに基づいて前記公開レベルを設定することが可能である
請求項１に記載の情報処理装置。
【請求項７】
前記提供制御部は、前記公開レベルに基づいて、収集したログデータを各サービスに提供する範囲及び態様を制御する
請求項１に記載の情報処理装置。
【請求項８】
情報処理装置が、
複数のサービスから複数のユーザのログデータを収集する収集ステップと、
収集したログデータの各サービスへの公開レベルをユーザ毎に設定することが可能な公開レベル設定ステップと、
設定された前記公開レベルに基づいて、収集したログデータの複数のサービスへの提供を制御する提供制御ステップと
を含む情報処理方法。
【請求項９】
第１のサーバ、所定のサービスを提供する複数の第２のサーバ、及び、前記第２のサーバが提供するサービスを利用する複数のクライアントを含み、
前記第１のサーバは、
複数のサービスから複数のユーザのログデータを収集する収集部と、
収集したログデータの各サービスへの公開レベルをユーザ毎に設定することが可能な公開レベル設定部と、
設定された前記公開レベルに基づいて、収集したログデータの複数のサービスへの提供を制御する提供制御部と
を備える情報処理システム。
【発明の詳細な説明】
【技術分野】
【０００１】
本技術は、情報処理装置、情報処理方法、及び、情報処理システムに関し、特に、複数のサービス間でログデータを共有できるようにした情報処理装置、情報処理方法、及び、情報処理システムに関する。
【背景技術】
【０００２】
近年、ソーシャルサービスの普及に伴い、他のユーザから発信される情報を閲覧したり、他のユーザと情報を共有したりすることが日常的に行われている。これに伴い、情報を発信する際に、情報を公開する範囲を柔軟に設定するための技術が提案されている（例えば、特許文献１参照）。
【０００３】
また、多くのユーザは、ソーシャルサービスに限らず、電子商取引（ｅコマース）、パーソナライズサービス等、インターネット等のネットワークを介して提供される複数のサービス（ネットワークサービス）を利用している。
【先行技術文献】
【特許文献】
【０００４】
【特許文献１】特開２００８−２６２２８０号公報
【発明の概要】
【発明が解決しようとする課題】
【０００５】
しかしながら、従来、各サービスは、それぞれ個別にユーザのログデータを管理しており、複数のサービスを利用するユーザの利便性については特に考慮されていなかった。従って、例えば、ユーザがあるサービスを利用して購入した商品を、別のサービスで推薦されるような事態が発生していた。
【０００６】
本技術は、このような状況に鑑みてなされたものであり、ユーザが複数のサービスを利用する際の利便性を向上させるようにするものである。
【課題を解決するための手段】
【０００７】
本技術の第１の側面の情報処理装置は、複数のサービスから複数のユーザのログデータを収集する収集部と、収集したログデータの各サービスへの公開レベルをユーザ毎に設定することが可能な公開レベル設定部と、設定された前記公開レベルに基づいて、収集したログデータの複数のサービスへの提供を制御する提供制御部とを備える。
【０００８】
前記公開レベル設定部には、さらに公開先のサービス毎に前記公開レベルを設定させることが可能である。
【０００９】
前記公開レベル設定部には、さらにログデータを公開するユーザと閲覧するユーザとの関係に基づいて前記公開レベルを設定させることが可能である。
【００１０】
前記公開レベル設定部には、さらに公開先のサービスがログデータを公開するユーザが利用しているサービスであるか否かに基づいて前記公開レベルを設定させることが可能である。
【００１１】
前記公開レベル設定部には、さらにログデータの種類毎に前記公開レベルを設定させることが可能である。
【００１２】
前記公開レベル設定部には、さらに公開先のサービス、ログデータを公開するユーザと閲覧するユーザとの関係、公開先のサービスがログデータを公開するユーザが利用しているサービスであるか否か、及び、ログデータの種類のうちの１つ、又は、２つ以上の組み合わせに基づいて前記公開レベルを設定させることが可能である。
【００１３】
前記提供制御部には、前記公開レベルに基づいて、収集したログデータを各サービスに提供する範囲及び態様を制御させることが可能である。
【００１４】
本技術の第１の側面の情報処理方法は、情報処理装置が、複数のサービスから複数のユーザのログデータを収集する収集ステップと、収集したログデータの各サービスへの公開レベルをユーザ毎に設定することが可能な公開レベル設定ステップと、設定された前記公開レベルに基づいて、収集したログデータの複数のサービスへの提供を制御する提供制御ステップとを含む。
【００１５】
本技術の第２の側面の情報処理システムは、第１のサーバ、所定のサービスを提供する複数の第２のサーバ、及び、前記第２のサーバが提供するサービスを利用する複数のクライアントを含み、前記第１のサーバは、複数のサービスから複数のユーザのログデータを収集する収集部と、収集したログデータの各サービスへの公開レベルをユーザ毎に設定することが可能な公開レベル設定部と、設定された前記公開レベルに基づいて、収集したログデータの複数のサービスへの提供を制御する提供制御部とを備える。
【発明の効果】
【００１６】
本技術の第１又は第２の側面によれば、複数のサービスのログデータを共有することができる。また、本技術の第１又は第２の側面によれば、ユーザが複数のサービスを利用する際の利便性が向上する。
【図面の簡単な説明】
【００１７】
【図１】本技術により実現されるログ共有サービスの概要について説明するための図である。
【図２】本技術を適用した情報処理システムの一実施の形態を示すブロック図である。
【図３】ログデータバンクの機能の構成例を示すブロック図である。
【図４】サービス及びユーザの第１の具体例を示す図である。
【図５】ログデータ収集処理について説明するためのフローチャートである。
【図６】プライバシレベル設定処理について説明するためのフローチャートである。
【図７】プライバシレベルの設定内容を説明するための図である。
【図８】映画再生ログと映画再生頻度ログの例を示す図である。
【図９】ログデータ提供処理について説明するためのフローチャートである。
【図１０】ログデータ提供処理の具体例について説明するためのフローチャートである。
【図１１】サービス及びユーザの第２の具体例を示す図である。
【図１２】コンピュータの構成例を示すブロック図である。
【発明を実施するための形態】
【００１８】
以下、本技術を実施するための形態（以下、実施の形態という）について説明する。なお、説明は以下の順序で行う。
１．本技術の利用形態の概要
２．実施の形態
３．変形例
【００１９】
＜１．本技術の利用形態の概要＞
まず、図１を参照して、本技術により実現されるログ共有サービスの例について簡単に説明する。
【００２０】
ログ共有サービスは、ログデータバンクにより提供され、サービス提供企業が提供するサービスを利用することにより発生するログデータを収集し、複数のサービス提供企業間でログデータを共有するサービスである。
【００２１】
サービスの種類は、インターネット等のネットワークを介して提供されるネットワークサービスであれば、特に限定されるものではない。例えば、ソーシャルサービス、電子商取引、パーソナライズサービス等が想定される。また、サービスには、ユーザが利用するものだけでなく、サービス提供企業が利用するものも含まれる。
【００２２】
また、ログ共有サービスで利用されるログデータの種類は、サービスを利用することにより発生するものであれば、特に限定されるものではない。例えば、サービスの利用ログ、商品等の購入ログ、コンテンツの利用ログ、ソーシャルサービス等におけるユーザ間の友人情報、ユーザから発信された各種の情報（画像、音声、コメント、位置情報等）等が想定される。また、ユーザがサービスを利用することにより発生するログデータだけでなく、サービス提供企業が他のサービス提供企業が提供するサービスを利用することにより発生するログデータも含まれる。
【００２３】
ログデータバンクは、ユーザ又はサービス提供企業がサービスを利用することにより発生するログデータを、そのサービスを提供するサービス提供企業から収集し、統合して保管する。
【００２４】
各サービス提供企業は、ログデータバンクを運営する企業と契約を結び、ログ共有サービスを利用する。また、サービス提供企業は、必要に応じてログデータバンクを運営する企業に対価を支払う。
【００２５】
また、各サービス提供企業は、提供するサービスをユーザ又は他のサービス提供企業が利用することにより発生するログデータをログデータバンクに提供する。一方、各サービス提供企業は、自社のサービスに関わるものであるか否かに関わらず、ログデータバンクに保管されているログデータを利用することが可能である。
【００２６】
これにより、各サービス提供企業は、自社のサービスだけでなく、他社のサービスのログデータも利用することができ、豊富なログデータに基づいて、より良いサービスをユーザ又は他のサービス提供企業に提供することができる。そして、ユーザ又は他のサービス提供企業は、そのサービスの恩恵を受けることができる。
【００２７】
例えば、電子商取引を行うサービス提供企業は、複数のサービスのログデータを利用することにより、より正確なマーケティング調査を行うことができ、よりユーザのニーズに即したサービスや商品を提供することが可能になる。
【００２８】
また、サービス提供企業は、例えば、新規サービスを立ち上げる場合に、豊富なユーザログを用いて、迅速にサービスを軌道に乗せることができる。例えば、新規に立ち上げた電子商取引において、開始当初から各ユーザの嗜好に合った商品を推薦することが可能になる。また、例えば、新規のSNS（Social Networking Service）を立ち上げる場合に、他のSNS等のログデータを引き継ぐことにより、開始当初から多くのユーザにより迅速にサービスを軌道に乗せることができる。
【００２９】
さらに、サービス提供企業は、例えば、新しいアイディアや企画の実現性や将来性等について、豊富なログデータに基づいて、そのアイディアや企画を実際に実行せずに検証することが可能になる。
【００３０】
また、ユーザは、例えば、パーソナライズサービスを利用する場合に、豊富な数や種類のログデータ基づいて、より個人に特化したサービスを受けることができ、利便性が向上する。
【００３１】
さらに、ユーザは、１つのサービスにログデータを提供すれば、他のサービスに対して同様のログデータを提供する必要がなくなる。従って、例えば、GPS（Global Positioning System）の位置情報が複数のサービスから同時に取得されることにより、ユーザが所有するスマートフォンや携帯電話機等の端末の処理が重くなるような事態を避けることができる。
【００３２】
また、例えば、ユーザは、利用中のサービスと同様のサービスが新規に開始された場合、その新規サービスと従来のサービスの間でログデータが共有されることにより、その新規のサービスに容易に乗り換えることが可能になる。
【００３３】
さらに、例えば、同様のSNSが複数存在する場合、ユーザは、UI（User Interface）等の好みに応じて自分の好きなサービスを選ぶことができ、かつ、他のサービスのユーザとの交流も可能になる。
【００３４】
なお、ユーザは、ログデータバンクに保管されている各サービスのログデータを引き出して、利用することも可能である。
【００３５】
ところで、ログデータは、ユーザのプライバシ情報を含むため、あるサービスのログデータを他のサービスに無条件に公開すると、プライバシ漏洩等の問題が発生するおそれがある。
【００３６】
そこで、後述するように、本技術を適用したログ共有サービスでは、ユーザがログデータの利用を許可するレベル、すなわちログデータを公開するレベルを設定することを可能にする。そして、ログデータバンクは、ユーザの許可を得た上で、各サービス提供企業に各ユーザのログデータを提供する。
【００３７】
＜２．実施の形態＞
［情報処理システムの構成例］
図２は、本技術を適用した情報処理システムの一実施の形態を示すブロック図である。
【００３８】
情報処理システム１は、ログデータバンク１１、サーバ１２−１乃至１２−ｍ、及び、クライアント１３−１乃至１３−ｎを含むように構成される。ログデータバンク１１、サーバ１２−１乃至１２−ｍ、及び、クライアント１３−１乃至１３−ｎは、ネットワーク１４を介して相互に接続されている。
【００３９】
なお、以下、サーバ１２−１乃至１２−ｍを個々に区別する必要がない場合、単にサーバ１２と称する。また、以下、クライアント１３−１乃至１３−ｎを個々に区別する必要がない場合、単にクライアント１３と称する。
【００４０】
ログデータバンク１１は、上述したログ共有サービスをサーバ１２及びクライアント１３に提供する。
【００４１】
サーバ１２は、上述したサービス提供企業が有しており、所定のサービスをユーザ又は他のサービス提供企業に提供する。なお、１つのサーバ１２により複数のサービスを提供するようにしたり、１つのサービスを複数のサーバ１２により提供するようにしたりすることが可能である。
【００４２】
クライアント１３は、例えば、パーソナルコンピュータ、携帯情報端末、携帯電話機、スマートフォン等、ログ共有サービス又はサーバ１２が提供するサービスの利用が可能な装置により構成される。
【００４３】
なお、クライアント１３は、必ずしもサーバ１２が提供する全てのサービスを利用可能である必要はない。
【００４４】
［ログデータバンク１１の構成例］
図３は、ログデータバンク１１の機能の構成例を示すブロック図である。
【００４５】
ログデータバンク１１は、通信部３１、情報処理部３２、及び、記憶部３３を含むように構成される。なお、通信部３１と情報処理部３２の各部は、相互にアクセスすることが可能である。また、情報処理部３２の各部は、記憶部３３にアクセスすることが可能である。
【００４６】
通信部３１は、ネットワーク１３を介して各サーバ１２及び各クライアント１３と通信を行い、ログ共有サービスに関わる各種の情報や指令等の送受信を行う。この送受信される情報の中には、各サービスのログデータが含まれる。
【００４７】
情報処理部３２は、ログ共有サービスに関わる各種の処理を行う。情報処理部３２は、収集部４１、ユーザ関係設定部４２、公開レベル設定部４３、及び、提供制御部４４を含むように構成される。
【００４８】
収集部４１は、ネットワーク１４及び通信部３１を介して、各サーバ１２が提供する各サービスのログデータを各サーバ１２から収集する。収集部４１は、各サーバ１２から収集したログデータを必要に応じて所定のフォーマットに統合し、記憶部３３に記憶させる。また、収集部４１は、ログデータに含まれる各サービスにおける友人情報をユーザ関係設定部４２に供給する。
【００４９】
ここで、友人情報とは、あるユーザが他のユーザに対して友人登録をしているか否かを示す情報である。また、友人とは、あるユーザがサービス上で双方向にリンクする他のユーザ、すなわち、あるユーザがサービス上で双方向のつながりを持つ他のユーザのことをいう。
【００５０】
ユーザ関係設定部４２は、各サービスにおける友人情報に基づいて、ユーザ間の友人関係を示すユーザ関係情報を更新する。ユーザ関係設定部４２は、更新したユーザ関係情報を記憶部３３に記憶させる。
【００５１】
公開レベル設定部４３は、ネットワーク１４及び通信部３１を介して、各クライアント１３において各ユーザにより設定されるプライバシレベルの設定情報を受信する。公開レベル設定部４３は、受信した設定情報に基づいて、各ユーザのプライバシレベルが登録されているプライバシレベル登録情報を更新し、記憶部３３に記憶させる。
【００５２】
また、公開レベル設定部４３は、記憶部３３に記憶されているプライバシレベル登録情報及びユーザ関係情報に基づいて、各ユーザのログデータの各サービスへの公開レベルを設定する。公開レベル設定部４３は、設定した公開レベルを提供制御部４４に通知する。
【００５３】
ここで、プライバシレベルとは、各ユーザにより設定され、各ユーザのログデータの公開レベルの設定に用いられる。また、公開レベルとは、ログデータの公開範囲及び公開態様を定めるものである。
【００５４】
提供制御部４４は、記憶部３３に記憶されているログデータを、通信部３１及びネットワーク１４を介して、各サーバ１２又は各クライアント１３に提供する。また、提供制御部４４は、公開レベル設定部４３により設定された公開レベルに基づいて、各サービスにログデータを提供する範囲及び態様を制御する。
【００５５】
［ログデータバンク１１の処理］
次に、図４乃至図１０を参照して、情報処理システム１の処理について説明する。
【００５６】
なお、以下、説明を分かりやすくするために、図４に示されるように、各サーバ１２によりサービスＡ乃至Ｃが提供され、ユーザ１乃至３が情報処理システム１を利用する場合について説明する。サービスＡ乃至Ｃ及びユーザ１乃至３の詳細は、以下のとおりである。
【００５７】
サービスＡは、ユーザ間で映画の再生ログを共有するSNSであり、次の機能を有する。
【００５８】
・ユーザが再生したことがある映画のログ（以下、過去ログと称する）の表示
・ユーザが最近１週間に再生した映画のログ（以下、直近ログと称する）の表示。ただし、友人のみが閲覧することが可能。
・ユーザ名の表示
・ユーザ検索
・ユーザ間の友人登録
・テキストメッセージの書き込み及び表示
【００５９】
なお、サービスＡは、映画再生ログ、テキストメッセージログ、及び、友人情報の３種類のログデータを使用する。
【００６０】
サービスＢは、ユーザ間で楽曲の再生ログを共有するSNSであり、次の機能を有する。
【００６１】
・ユーザが再生したことがある楽曲のログ（以下、過去ログと称する）の表示
・ユーザが最近１週間に再生した楽曲のログ（以下、直近ログと称する）の表示。ただし、友人のみが閲覧することが可能。
・ユーザ名の表示
・ユーザ検索
・ユーザ間の友人登録
・テキストメッセージの書き込み及び表示
【００６２】
また、サービスＢは、楽曲再生ログ、テキストメッセージログ、及び、友人情報の３種類のログデータを使用する。
【００６３】
サービスＣは、映画と楽曲をストリーミング配信するサービスである。サービスＣは、各ユーザが映画を再生すると、そのログデータである映画再生ログを記録する。また、サービスＣは、各ユーザが楽曲を再生すると、そのログデータである楽曲再生ログを記録する。
【００６４】
ユーザ１は、サービスＡ乃至Ｃを利用しており、ユーザ２と友人である。
【００６５】
ユーザ２は、サービスＡ及びサービスＣを利用しており、ユーザ１と友人である。なお、ユーザ２は、サービスＢを利用していない。
【００６６】
ユーザ３は、サービスＡ乃至Ｃを利用しており、ユーザ１及びユーザ２とは友人でない。
【００６７】
なお、ユーザが利用しているサービスとは、そのユーザが利用登録や利用契約等を行い、そのユーザが利用することにより発生するログデータがそのユーザのものとして他のユーザのものと識別できるように記録されるサービスのことをいう。
【００６８】
なお、以下、例えば、サービスＡを提供するサーバ１２が何らかの処理を行う場合、単に、サービスＡが処理を行うというように、サーバ１２の記載を省略して表現する場合がある。
【００６９】
（ログデータ収集処理）
次に、図５のフローチャートを参照して、情報処理システム１により実行されるログデータ収集処理について説明する。なお、この処理は、ユーザが、クライアント１３を用いて、サーバ１２が提供するサービスを利用したとき開始される。
【００７０】
ステップＳ１において、サーバ１２は、ログデータを生成する。
【００７１】
例えば、ユーザ１又はユーザ３が、サービスＡを利用してテキストメッセージを生成した場合、サービスＡは、そのテキストメッセージを含むテキストメッセージログを生成する。同様に、例えば、ユーザ１乃至３が、サービスＢを利用してテキストメッセージを生成した場合、サービスＢは、そのテキストメッセージを含むテキストメッセージログを生成する。
【００７２】
また、例えば、ユーザ１又はユーザ３が、サービスＡを利用して他のユーザを友人登録した場合、サービスＡは、その友人登録の内容を含む友人情報を生成する。同様に、例えば、ユーザ１乃至３が、サービスＢを利用して他のユーザを友人登録した場合、サービスＢは、その友人登録の内容を含む友人情報を生成する。
【００７３】
さらに、例えば、ユーザ１乃至３が、サービスＣを利用して映画又は楽曲を再生した場合、サービスＣは、その再生履歴を示す映画再生ログ又は楽曲再生ログを生成する。
【００７４】
ステップＳ２において、サーバ１２は、生成したログデータを、ネットワーク１４を介してログデータバンク１１に送信する。
【００７５】
なお、サーバ１２がログデータバンク１１にログデータを送信するタイミングは任意に設定することが可能である。例えば、提供するサービスが利用され、ログデータを生成するとすぐに送信するようにしてもよいし、生成したログデータを一旦蓄積し、定期的又は一定量のログデータが蓄積される毎に送信するようにしてもよい。
【００７６】
ステップＳ３において、ログデータバンク１１の収集部４１は、サーバ１２から送信されたログデータを、通信部３１を介して受信する。
【００７７】
ステップＳ４において、収集部４１は、ログデータを蓄積する。具体的には、収集部４１は、受信したログデータのうち友人情報を除くデータを、必要に応じて所定のフォーマットに変換する。このフォーマットは、サービス間のログデータのフォーマットの違いを吸収し、共通化するためのものである。そして、収集部４１は、ログデータを記憶部３３に蓄積する。
【００７８】
なお、必ずしもフォーマット変換する必要はなく、受信したログデータをそのまま記憶部３３に蓄積するようにしてもよい。
【００７９】
ステップＳ５において、ユーザ関係設定部４２は、ユーザ関係情報を更新する。具体的には、収集部４１は、受信したログデータに友人情報がある場合、その友人情報をユーザ関係設定部４２に供給する。ユーザ関係設定部４２は、取得した友人情報に基づいて、記憶部３３に記憶されているユーザ関係情報を更新する。このユーザ関係情報は、各サービスにおけるユーザ間の友人関係を１つに集約したものである。
【００８０】
その後、ログ収集処理は終了する。
【００８１】
そして、このログ収集処理が繰り返されることにより、各サービスを利用することにより発生するログデータがログデータバンク１１の記憶部３３に蓄積される。また、各ユーザの友人関係を示すユーザ関係情報が更新される。
【００８２】
（プライバシレベル設定処理）
次に、図６のフローチャートを参照して、情報処理システム１により実行されるプライバシレベル設定処理について説明する。なお、この処理は、例えば、ユーザが、クライアント１３において、プライバシレベルを設定するための操作を行ったとき開始される。
【００８３】
ステップＳ２１において、クライアント１３は、プライバシレベルの設定を受け付ける。具体的には、例えば、クライアント１３は、プライバシレベルの設定画面を表示し、ユーザは、その設定画面に従って、プライバシレベルを設定する。クライアント１３は、プライバシレベルの設定情報を取得する。
【００８４】
ステップＳ２２において、クライアント１３は、プライバシレベルの設定情報を、ネットワーク１４を介してログデータバンク１１に送信する。
【００８５】
ステップＳ２３において、ログデータバンク１１の公開レベル設定部４３は、クライアント１３から送信されたプライバシレベルの設定情報を、通信部３１を介して受信する。
【００８６】
ステップＳ２４において、公開レベル設定部４３は、受信した設定情報に基づいて、記憶部３３に記憶されているプライバシレベル登録情報に、設定対象となるユーザのプライバシレベルを登録する。
【００８７】
その後、プライバシレベル設定処理は終了する。
【００８８】
ここで、図７及び図８を参照して、図４の具体例におけるプライバシレベルの設定内容の例について説明する。
【００８９】
例えば、各ユーザは、映画再生ログ、楽曲再生ログ及びテキストメッセージに対するプライバシレベル（以下、第１プライバシレベルと称する）と、友人情報に対するプライバシレベル（以下、第２プライバシレベルと称する）の２種類のプライバシレベルを設定することができる。
【００９０】
また、第１プライバシレベルは、図７に示されるケース１乃至４について個別に設定することが可能である。なお、ケース１乃至４において、自分（公開者）とは、ログデータを公開し、閲覧される側のユーザであり、この処理においてプライバシレベルを設定するユーザのことである。
【００９１】
ケース１は、友人登録しているユーザ（閲覧者）が、公開者が利用しているサービスからログデータを閲覧する場合である。例えば、ユーザ２（公開者）の友人であるユーザ１（閲覧者）が、ユーザ２が利用しているサービスＢからユーザ２のログデータを閲覧する場合である。
【００９２】
ケース２は、友人登録しているユーザ（閲覧者）が、公開者が利用していないサービスからログデータを閲覧する場合である。例えば、ユーザ２（公開者）の友人であるユーザ１（閲覧者）が、ユーザ２が利用していないサービスＡからユーザ２のログデータを閲覧する場合である。
【００９３】
ケース３は、友人登録していないユーザ（閲覧者）が、公開者が利用しているサービスからログデータを閲覧する場合である。例えば、ユーザ２（公開者）と友人でないユーザ３（閲覧者）が、ユーザ２が利用しているサービスＢからユーザ２のログデータを閲覧する場合である。
【００９４】
ケース４は、友人登録していないユーザ（閲覧者）が、公開者が利用していないサービスからログデータを閲覧する場合である。例えば、ユーザ２（公開者）と友人でないユーザ３（閲覧者）が、ユーザ２が利用していないサービスＡからユーザ２のログデータを閲覧する場合である。
【００９５】
また、第１プライバシレベルは、プライバシレベル１乃至３の３段階に設定することができる。
【００９６】
プライバシレベル１に設定されている場合、映画再生ログ、楽曲再生ログ、及び、テキストメッセージが全て公開される。
【００９７】
プライバシレベル２に設定されている場合、映画再生ログは、映画の再生頻度を示す映画再生頻度ログデータに変換されて公開される。
【００９８】
図８は、映画再生ログと映画再生頻度ログの例を示している。映画再生ログは、映画のタイトルと再生した日時の組み合わせにより構成される。映画再生頻度ログは、映画のタイトルと再生回数の組み合わせにより構成される。
【００９９】
同様に、プライバシレベル２に設定されている場合、楽曲再生ログは、楽曲の再生頻度を示す楽曲再生ログに変換されて公開される。一方、テキストメッセージは全て公開される。
【０１００】
従って、プライバシレベル２に設定されている場合、サービスＡ及びサービスＢにおいて、再生日時の情報が不要な映画及び楽曲の過去ログは公開されるが、再生日時の情報が必要な映画及び楽曲の直近ログは公開されなくなる。
【０１０１】
プライバシレベル３に設定されている場合、映画再生ログ、楽曲再生ログ、及び、テキストメッセージは全て公開されない。
【０１０２】
例えば、ケース１においてユーザ２がプライバシレベル１に設定した場合、ユーザ２の友人であるユーザ１は、ユーザ２が利用しているサービスＢにおいて、ユーザ２の過去ログ、直近ログ及びテキストメッセージを閲覧することができる。ケース１においてユーザ２がプライバシレベル２に設定した場合、ユーザ１は、サービスＢにおいて、ユーザ２の過去ログ及びテキストメッセージを閲覧できる。ケース１においてユーザ２がプライバシレベル３に設定した場合、ユーザ１は、サービスＢにおいて、ユーザ２の過去ログ、直近ログ及びテキストメッセージを閲覧することができない。
【０１０３】
ケース２においてユーザ２がプライバシレベル１に設定した場合、ユーザ２がサービスＡを利用していないにもかかわらず、ユーザ２の友人であるユーザ１は、サービスＡにおいて、ユーザ２の過去ログ、直近ログ及びテキストメッセージを閲覧することができる。ケース２においてユーザ２がプライバシレベル２に設定した場合、ユーザ１は、サービスＡにおいて、ユーザ２の過去ログ及びテキストメッセージを閲覧することができる。ケース２においてユーザ２がプライバシレベル３に設定した場合、ユーザ１は、サービスＡにおいて、ユーザ２の過去ログ、直近ログ及びテキストメッセージを閲覧することができない。
【０１０４】
ケース３においてユーザ２がプライバシレベル１に設定した場合、ユーザ２の友人でないユーザ３は、ユーザ２が利用しているサービスＢにおいて、ユーザ２の過去ログ、直近ログ及びテキストメッセージを閲覧することができる。例えば、ユーザ３がサービスＢの検索機能でユーザ２を検索した場合等に、ユーザ２の過去ログ、直近ログ及びテキストメッセージが表示されるようになる。
【０１０５】
ケース３においてユーザ２がプライバシレベル２に設定した場合、ユーザ３は、サービスＢにおいて、ユーザ２の過去ログ及びテキストメッセージを閲覧することができる。例えば、ユーザ３がサービスＢの検索機能でユーザ２を検索した場合等に、ユーザ２の過去ログ及びテキストメッセージが表示されるようになる。
【０１０６】
ケース３においてユーザ２がプライバシレベル３に設定した場合、ユーザ３は、サービスＢにおいて、ユーザ２の過去ログ、直近ログ及びテキストメッセージを閲覧することができない。
【０１０７】
ケース４においてユーザ２がプライバシレベル１に設定した場合、ユーザ２がサービスＡを利用していないにもかかわらず、ユーザ３は、サービスＡにおいて、ユーザ２の過去ログ、直近ログ及びテキストメッセージを閲覧することができる。例えば、ユーザ３がサービスＡの検索機能でユーザ２を検索した場合等に、ユーザ２の過去ログ、直近ログ及びテキストメッセージが表示されるようになる。
【０１０８】
ケース４においてユーザ２がプライバシレベル２に設定した場合、ユーザ２がサービスＡを利用していないにもかかわらず、ユーザ３は、サービスＡにおいて、ユーザ２の過去ログ及びテキストメッセージを閲覧することができる。例えば、ユーザ３がサービスＡの検索機能でユーザ２を検索した場合等に、ユーザ２の過去ログ及びテキストメッセージが表示されるようになる。
【０１０９】
ケース４においてユーザ２がプライバシレベル３に設定した場合、ユーザ３は、サービスＡにおいて、ユーザ２の過去ログ、直近ログ及びテキストメッセージを閲覧することができない。
【０１１０】
一方、第２プライバシレベルは、上述したケース１乃至４とは無関係に、プライバシレベルＡ乃至Ｃの３段階に設定することが可能である。
【０１１１】
プライバシレベルＡに設定されている場合、公開者が利用しているサービスにおいて友人情報（公開者の友人に関する情報）が公開される。例えば、ユーザ２がプライバシレベルＡに設定した場合、ユーザ１及びユーザ３は、ユーザ２が利用しているサービスＢにおいて、ユーザ２の友人情報を閲覧することができる。一方、ユーザ１及びユーザ３は、ユーザ２が利用していないサービスＡにおいて、ユーザ２の友人情報を閲覧することができない。
【０１１２】
プライバシレベルＢに設定されている場合、公開者が利用しているサービスとその友人が利用しているサービスにおいて友人情報が公開される。例えば、ユーザ２がプライバシレベルＢに設定した場合、ユーザ１及びユーザ３は、ユーザ２が利用しているサービスＢにおいて、ユーザ２の友人情報を閲覧することができる。また、ユーザ１は、ユーザ２と友人であるため、ユーザ１が利用しているサービスＡにおいて、ユーザ２が利用していないにもかかわらず、ユーザ２の友人情報を閲覧することができる。一方、ユーザ３は、ユーザ２と友人でないため、ユーザ２が利用していないサービスＡにおいて、ユーザ２の友人情報を閲覧することができない。
【０１１３】
プライバシレベルＣに設定されている場合、全てのサービスにおいて友人情報が公開される。例えば、ユーザ２がプライバシレベルＣに設定した場合、ユーザ１及びユーザ３は、ユーザ２が利用しているサービスＢにおいて、ユーザ２の友人情報を閲覧することができる。また、ユーザ１及びユーザ３は、サービスＡにおいて、ユーザ２が利用していないにもかかわらず、ユーザ２の友人情報を閲覧することができる。
【０１１４】
以上のようにして、各ユーザは、プライバシレベルを設定することにより、自分のログデータを公開するレベルを設定することができる。
【０１１５】
（ログデータ提供処理）
次に、図９のフローチャートを参照して、ログデータバンク１１により実行されるログデータ提供処理について説明する。
【０１１６】
例えば、あるユーザ（閲覧者）が、クライアント１３において、サーバ１２が提供するサービスを利用して、他のユーザ（公開者）のログデータを表示する操作した場合、そのログデータの送信の要求が、ネットワーク１４を介して、そのサーバ１２に送信される。なお、以下、閲覧者が利用しているサービスを対象サービスと称し、対象サービスを提供するサーバ１２を対象サーバと称する。また、以下、閲覧者が利用しているクライアント１３を対象クライアントと称する。
【０１１７】
対象サーバは、閲覧者、公開者、対象サービスを示す情報とともに、公開者のログデータの送信の要求を、ネットワーク１４を介してログデータバンク１１に送信する。そして、ログデータバンク１１の公開レベル設定部４３が、通信部３１を介して、上記の情報及び要求を受信したとき、図９の処理が開始される。
【０１１８】
ステップＳ４１において、公開レベル設定部４３は、公開者のプライバシレベルを記憶部３３に記憶されているプライバシレベル登録情報から読み込む。
【０１１９】
ステップＳ４２において、公開レベル設定部４３は、閲覧者の友人情報を記憶部３３に記憶されているユーザ関係情報から読み込む。
【０１２０】
ステップＳ４３において、公開レベル設定部４３は、取得した友人情報に基づいて、閲覧者と公開者が友人であるか否かを判定する。閲覧者と公開者が友人であると判定された場合、処理はステップＳ４４に進む。
【０１２１】
ステップＳ４４において、公開レベル設定部４３は、公開者が対象サービスを利用しているか否かを判定する。公開者が対象サービスを利用していると判定された場合、処理はステップＳ４５に進む。この場合、閲覧者は公開者と友人であり、かつ、公開者は対象サービスを利用しているため、図７のケース１に該当する。
【０１２２】
ステップＳ４５において、公開レベル設定部４３は、ケース１のプライバシレベルに基づいて公開レベルを設定する。具体的には、公開レベル設定部４３は、公開者がケース１において設定しているプライバシレベルに基づいて、対象サービスにおいて閲覧者に対して公開者のログデータを公開するレベルを設定する。公開レベル設定部４３は、設定した公開レベルを提供制御部４４に通知する。
【０１２３】
ステップＳ４６において、提供制御部４４は、公開レベルに基づくログデータを提供する。具体的には、提供制御部４４は、公開者のログデータを記憶部３３から読み出し、設定された公開レベルに基づいて、必要に応じてログデータの加工を行う。そして、提供制御部４４は、通信部３１及びネットワーク１４を介して、対象サーバにログデータを送信する。
【０１２４】
対象サーバは、ログデータを受信し、受信したログデータを、必要に応じて対象サービスで利用できるように加工する。そして、対象サーバは、ネットワーク１４を介して、ログデータを対象クライアントに送信する。
【０１２５】
対象クライアントは、対象サービスの利用画面において、受信したログデータを表示する。これにより、公開者のログデータが、ケース１のプライバシレベルに基づく公開レベルで閲覧者に提示される。
【０１２６】
その後、ログデータ提供処理は終了する。
【０１２７】
一方、ステップＳ４４において、公開者が対象サービスを利用していないと判定された場合、処理はステップＳ４７に進む。この場合、閲覧者は公開者と友人であり、かつ、公開者は対象サービスを利用していないため、図７のケース２に該当する。
【０１２８】
ステップＳ４７において、公開レベル設定部４３は、ケース２のプライバシレベルに基づいて公開レベルを設定する。具体的には、公開レベル設定部４３は、公開者がケース２において設定しているプライバシレベルに基づいて、対象サービスにおいて閲覧者に対して公開者のログデータを公開するレベルを設定する。公開レベル設定部４３は、設定した公開レベルを提供制御部４４に通知する。
【０１２９】
ステップＳ４８において、ステップＳ４６と同様の処理により、公開レベルに基づくログデータが提供される。これにより、公開者のログデータが、ケース２のプライバシレベルに基づく公開レベルで閲覧者に提示される。
【０１３０】
その後、ログデータ提供処理は終了する。
【０１３１】
一方、ステップＳ４３において、閲覧者と公開者が友人でないと判定された場合、処理はステップＳ４９に進む。
【０１３２】
ステップＳ４９において、ステップＳ４４の処理と同様に、公開者が対象サービスを利用しているか否かが判定される。公開者が対象サービスを利用していると判定された場合、処理はステップＳ５０に進む。この場合、閲覧者は公開者と友人でなく、かつ、公開者は対象サービスを利用しているため、図７のケース３に該当する。
【０１３３】
ステップＳ５０において、公開レベル設定部４３は、ケース３のプライバシレベルに基づいて公開レベルを設定する。具体的には、公開レベル設定部４３は、公開者がケース３において設定しているプライバシレベルに基づいて、対象サービスにおいて閲覧者に対して公開者のログデータを公開するレベルを設定する。公開レベル設定部４３は、設定した公開レベルを提供制御部４４に通知する。
【０１３４】
ステップＳ５１において、ステップＳ４６と同様の処理により、公開レベルに基づくログデータが提供される。これにより、公開者のログデータが、ケース３のプライバシレベルに基づく公開レベルで閲覧者に提示される。
【０１３５】
その後、ログデータ提供処理は終了する。
【０１３６】
一方、ステップＳ４９において、公開者が対象サービスを利用していないと判定された場合、処理はステップＳ５２に進む。この場合、閲覧者は公開者と友人でなく、かつ、公開者は対象サービスを利用していないため、図７のケース４に該当する。
【０１３７】
ステップＳ５２において、公開レベル設定部４３は、ケース３のプライバシレベルに基づいて公開レベルを設定する。具体的には、公開レベル設定部４３は、公開者がケース４において設定しているプライバシレベルに基づいて、対象サービスにおいて閲覧者に対して公開者のログデータを公開するレベルを設定する。公開レベル設定部４３は、設定した公開レベルを提供制御部４４に通知する。
【０１３８】
ステップＳ５３において、ステップＳ４６と同様の処理により、公開レベルに基づくログデータが提供される。これにより、公開者のログデータが、ケース４のプライバシレベルに基づく公開レベルで閲覧者に提示される。
【０１３９】
その後、ログデータ提供処理は終了する。
【０１４０】
（ログデータ提供処理の具体例）
次に、図１０のフローチャートを参照して、図９を参照して上述したログデータ提供処理の具体例について説明する。
【０１４１】
なお、以下、ユーザ１又はユーザ３が、サービスＡ又はサービスＢにおいてユーザ２の映画再生ログ又は楽曲再生ログを閲覧する場合の例について説明する。また、以下、ユーザ２のプライバシレベルが、ケース１においてプライバシレベル１に設定され、ケース２及びケース３においてプライバシレベル２に設定され、ケース４においてプライバシレベル３に設定されているものとする。
【０１４２】
ステップＳ７１において、公開レベル設定部４３は、公開者であるユーザ２のプライバシレベルを記憶部３３に記憶されているプライバシレベル登録情報から読み込む。
【０１４３】
ステップＳ７２において、公開レベル設定部４３は、閲覧者の友人情報を記憶部３３に記憶されているユーザ関係情報から読み込む。
【０１４４】
ステップＳ７３において、公開レベル設定部４３は、閲覧者とユーザ２が友人であるか否かを判定する。閲覧者がユーザ１である場合、閲覧者とユーザ２が友人であると判定され、処理はステップＳ７４に進む。
【０１４５】
ステップＳ７４において、公開レベル設定部４３は、ユーザ２が対象サービスを利用しているか否かを判定する。対象サービスがサービスＢである場合、ユーザ２が対象サービスを利用していると判定され、処理はステップＳ７５に進む。これはケース１の場合である。
【０１４６】
ステップＳ７５において、公開レベル設定部４３は、プライバシレベル１に基づいて公開レベルを設定する。すなわち、公開レベル設定部４３は、対象サービスであるサービスＢにおいて閲覧者であるユーザ１に対してユーザ２の楽曲再生ログを全て公開するように公開レベルを設定する。公開レベル設定部４３は、設定した公開レベルを提供制御部４４に通知する。
【０１４７】
ステップＳ７６において、提供制御部４４は、ユーザ２の再生ログを提供する。具体的には、提供制御部４４は、ユーザ２の楽曲再生ログを記憶部３３から読み込む。そして、提供制御部４４は、通信部３１及びネットワーク１４を介して、サービスＢを提供するサーバ１２に、ユーザ２の楽曲再生ログを送信する。
【０１４８】
楽曲再生ログを受信したサーバ１２は、ネットワーク１４を介して、受信した楽曲再生ログを、ユーザ１のクライアント１３に送信する。
【０１４９】
楽曲再生ログを受信したクライアント１３は、サービスＢの利用画面において、ユーザ２の楽曲再生の過去ログ及び直近ログを表示する。これにより、ユーザ１は、サービスＢにおいて、ユーザ２の楽曲再生の過去ログ及び直近ログを閲覧することができる。
【０１５０】
その後、ログデータ提供処理は終了する。
【０１５１】
一方、ステップＳ７４において、対象サービスがサービスＡである場合、ユーザ２が対象サービスを利用していないと判定され、処理はステップＳ７７に進む。これはケース２の場合である。
【０１５２】
ステップＳ７７において、公開レベル設定部４３は、プライバシレベル２に基づいて公開レベルを設定する。すなわち、公開レベル設定部４３は、対象サービスであるサービスＡにおいて、閲覧者であるユーザ１に対してユーザ２の映画再生ログを映画再生頻度ログに変換して公開するように公開レベルを設定する。公開レベル設定部４３は、設定した公開レベルを提供制御部４４に通知する。
【０１５３】
ステップＳ７８において、提供制御部４４は、ユーザ２の再生ログを再生頻度ログに変換して提供する。具体的には、提供制御部４４は、ユーザ２の映画再生ログを記憶部３３から読み込み、映画再生頻度ログに変換する。そして、提供制御部４４は、通信部３１及びネットワーク１４を介して、サービスＡを提供するサーバ１２に、ユーザ２の映画再生頻度ログを送信する。
【０１５４】
映画再生頻度ログを受信したサーバ１２は、ネットワーク１４を介して、受信した映画再生頻度ログを、ユーザ１のクライアント１３に送信する。
【０１５５】
映画再生頻度ログを受信したクライアント１３は、サービスＡの利用画面において、ユーザ２の映画再生の過去ログを表示する。これにより、ユーザ１は、サービスＡにおいて、ユーザ２の映画再生の過去ログを閲覧することができる。
【０１５６】
その後、ログデータ提供処理は終了する。
【０１５７】
一方、ステップＳ７３において、閲覧者がユーザ３である場合、閲覧者とユーザ２が友人でないと判定され、処理はステップＳ７９に進む。
【０１５８】
ステップＳ７９において、ステップＳ７４の処理と同様に、ユーザ２が対象サービスを利用しているか否かを判定する。対象サービスがサービスＢである場合、ユーザ２が対象サービスを利用していると判定され、処理はステップＳ８０に進む。これはケース３の場合である。
【０１５９】
ステップＳ８０において、公開レベル設定部４３は、プライバシレベル２に基づいて公開レベルを設定する。すなわち、公開レベル設定部４３は、対象サービスであるサービスＢにおいて、閲覧者であるユーザ３に対してユーザ２の楽曲再生ログを楽曲再生頻度ログに変換して公開するように公開レベルを設定する。公開レベル設定部４３は、設定した公開レベルを提供制御部４４に通知する。
【０１６０】
ステップＳ８１において、提供制御部４４は、ユーザ２の再生ログを再生頻度ログに変換して提供する。具体的には、提供制御部４４は、ユーザ２の楽曲再生ログを記憶部３３から読み込み、楽曲再生頻度ログに変換する。そして、提供制御部４４は、通信部３１及びネットワーク１４を介して、サービスＢを提供するサーバ１２に、ユーザ２の楽曲再生頻度ログを送信する。
【０１６１】
楽曲再生頻度ログを受信したサーバ１２は、ネットワーク１４を介して、受信した楽曲再生頻度ログを、ユーザ３のクライアント１３に送信する。
【０１６２】
楽曲再生頻度ログを受信したクライアント１３は、サービスＢの利用画面において、ユーザ２の楽曲再生の過去ログを表示する。これにより、ユーザ３は、サービスＢにおいて、ユーザ２の楽曲再生の過去ログを閲覧することができる。
【０１６３】
その後、ログデータ提供処理は終了する。
【０１６４】
一方、ステップＳ７９において、対象サービスがサービスＡである場合、ユーザ２が対象サービスを利用していないと判定され、処理はステップＳ８２に進む。これはケース４の場合である。
【０１６５】
ステップＳ８２において、公開レベル設定部４３は、プライバシレベル３に基づいて公開レベルを設定する。すなわち、公開レベル設定部４３は、対象サービスであるサービスＡにおいて、閲覧者であるユーザ３に対してユーザ２の映画再生ログを公開しないように公開レベルを設定する。公開レベル設定部４３は、設定した公開レベルを提供制御部４４に通知する。
【０１６６】
ステップＳ８１において、提供制御部４４は、ユーザ２のログデータを提供しない。従って、ユーザ３は、サービスＡにおいて、ユーザ２の映画再生の過去ログ及び直近ログを閲覧することはできない。
【０１６７】
その後、ログデータ提供処理は終了する。
【０１６８】
以上のようにして、各サービスのログデータを、複数のサービスで共有することができる。これにより、図１を参照して上述したように、サービスを提供するサービス提供企業、及び、サービスを利用するユーザの双方に利益がもたらされる。例えば、サービス提供企業は、豊富なログデータを用いてより優れたサービスを提供することが可能になり、ユーザにとっては、複数のサービスを利用する際の利便性が向上する。
【０１６９】
また、各ユーザは、プライバシレベルを設定することにより、閲覧者及び公開先のサービスに応じてログデータの公開範囲や公開態様を制限することができる。より具体的には、各ユーザは、閲覧者が自分の友人であるか否か、及び、公開先のサービスが自分が利用しているサービスであるか否かに応じて、ログデータの公開範囲や公開態様を制限することができる。その結果、複数のサービス間でログデータを共有することによるプライバシ情報の漏洩等のリスクを軽減することができる。
【０１７０】
＜３．変形例＞
以下、上述した本技術の実施の形態の変形例について説明する。
【０１７１】
［変形例１：プライバシレベル及び公開レベルの変形例］
上述したプライバシレベルの設定内容は、その一例であり、上述した例に限定されるものではない。例えば、第１プライバシレベルの設定内容を以下のように変更することが可能である。
【０１７２】
プライバシレベル１’：ログデータを全て公開する。
プライバシレベル２’：ログデータを映画・楽曲の頻度情報に変換して公開する。
プライバシレベル３’：ログデータの一部をランダムに選択して公開する。
プライバシレベル４’：ログデータを映画・楽曲の再生の有無情報に変換して公開する。
プライバシレベル５’：ログデータを、映画・楽曲が所属するグループの系列として公開する。
【０１７３】
また、プライバシレベルにより、ログデータを公開する期間を設定できるようにしてもよい。例えば、ログデータの公開期間を、直近の１週間、１ヶ月、１年等に制限できるようにしてもよい。
【０１７４】
さらに、プライバシレベルを、ログデータの種類毎に設定できるようにしてもよい。これにより、例えば、映画再生ログと音楽再生ログの公開レベルを変えることが可能になる。また、例えば、ログデータの性質により公開態様が異なるため、各ログデータの公開態様に応じた公開レベルを設定することができるようになる。例えば、性質が異なるコンテンツの再生ログと商品の購入ログで公開レベルを変えることが可能になる。
【０１７５】
また、公開先のサービス毎にプライバシレベルを設定できるようにしてもよい。これにより、例えば、公開者の利用の有無に関わらず、サービスＡとサービスＢに対する公開レベルを変えることが可能になる。
【０１７６】
さらに、サービス毎にプライバシレベルを設定可能にする場合、サービス毎にケース１乃至４に分けて、プライバシレベルを設定できるようにしてもよい。ただし、この場合、サービスが決まると、自分（公開者）が利用しているか否かが定まるため、友人登録しているユーザによる閲覧か否かの２ケースのみに分けて、サービス毎にプライバシレベルを設定するようにすることも可能である。
【０１７７】
また、各ケース間で整合性が取れるように、プライバシレベルの設定に制約条件を課すようにしてもよい。例えば、以下のように制約条件を課すことが考えられる。
【０１７８】
ケース１のプライバシレベル≦ケース２のプライバシレベル
ケース１のプライバシレベル≦ケース３のプライバシレベル
ケース２のプライバシレベル≦ケース４のプライバシレベル
ケース３のプライバシレベル≦ケース４のプライバシレベル
【０１７９】
例えば、ケース１は友人にログデータを公開する場合であり、ケース３は友人以外のユーザにログデータを公開する場合なので、２番目の式に示されるように、ケース１のプライバシレベルはケース３のプライバシレベル以下に設定される。換言すれば、ケース１のログデータの公開範囲は、ケース３のログデータの公開範囲と同じ又はそれより広く設定される。
【０１８０】
さらに、上記の制約条件を満たすように、ユーザが既に設定したケースのプライバシレベルに基づいて他の未設定のケースのプライバシレベルを自動的に設定し、ユーザ設定を補助するようにしてもよい。また、例えば、上記の制約条件を満たすように、設定済みの各ケースのプライバシレベルを修正するようにしてもよい。
【０１８１】
また、図７の例では、公開者と閲覧者との関係の種類として友人関係のみを考慮してケースを分類する例を示したが、友人関係以外のユーザ間の関係の種類を用いて分類するようにしてもよい。例えば、２人のユーザが一方向にリンクするいわゆるフォロワー（follower）とフォロイー（followee）の関係にある場合に、友人関係と異なるケースを設けるようにしてもよい。また、例えば、友人関係を複数のレベルに分類し、レベル毎にケースを分類するようにしてもよい。これにより、公開者と閲覧者との関係により、より細かく公開レベルを設定することが可能になる。
【０１８２】
さらに、例えば、図７において、自分（公開者）が利用しているサービスであるか否か、又は、友人登録しているユーザによる閲覧であるか否かの一方のみに基づいて、ケースを分類するようにすることも可能である。
【０１８３】
また、以上の説明では、公開レベルによりログデータの公開態様を変更する例として、再生ログを再生頻度ログに変換して公開する例を示したが、この例に限定されるものではない。例えば、ログデータの内容を上位概念化して公開したり、表示形式を変換（例えば、図式化や数値化等）して公開することが考えられる。
【０１８４】
なお、以上に述べたプライバシレベル及び公開レベルの実施の形態及び変形例は、互いに組み合わせて用いたり、単独で用いたりすることが可能である。
【０１８５】
［変形例２：サービスの変形例］
ログ共有サービスを利用するサービスの種類は、上述した例に限定されるものではなく、インターネット等のネットワークを介して提供されるネットワークサービスであれば、特に限定されるものではない。また、例えば、ユーザに直接提供されないサービスでも、ログ共有サービスを利用することが可能である。
【０１８６】
図１１は、図４の具体例に、さらにサービスＤを追加した例を示している。サービスＤは、例えば、楽曲の聴取状況の統計（週間聴取ランキングなど）を取り、公開するサービスであり、ユーザに直接提供されるサービスではない。このサービスＤのように、ユーザに直接提供されないサービスでも、ログ共有サービスを利用することが可能である。
【０１８７】
なお、サービスＤはユーザに利用されないため、図７に示されるケースに分けてプライバシレベルを設定するのは適当ではない。従って、各ユーザが、サービスＡ乃至Ｃとは別に、サービスＤに対するプライバシレベルを設定できるようにすることが望ましい。
【０１８８】
例えば、サービスＤに対しては、サービスＡ乃至Ｃとは別に、ケース１乃至４の区別をせずに、各ユーザがプライバシレベル１又は３を設定できるようにすることが考えられる。例えば、プライバシレベル１に設定したユーザのログデータをログデータバンク１１からサービスＤに公開し、プライバシレベル３に設定したユーザのログデータをログデータバンク１１からサービスＤに公開しないようにすることができる。
【０１８９】
また、例えば、ケース１乃至４以外に、ユーザが利用しないサービスにログデータを公開する場合をケース５として追加して、ケース１乃至４とは別にプライバシレベルを設定できるようにしてもよい。
【０１９０】
［変形例３：ログデータの形式の変形例］
図８に示したログデータの形式は、その一例であり、本技術では任意の形式を採用することが可能である。例えば、図８に示されるようなシンボル時系列のログデータ以外に、実数ベクトル時系列のログデータを採用することも可能である。実数ベクトル時系列のログデータとは、例えば、位置情報の時系列のログデータであり、（34.5, 135.4, 2012/7/25 10:00）,（34.4, 135.2, 2012/7/25 10:05）・・・のような形式で表されるデータのことである。なお、このデータは、（緯度,経度,日時）の組み合わせで表されている。
【０１９１】
［変形例４：その他の変形例］
以上の説明では、ログデータバンク１１が、各サービスの友人情報を収集し、ユーザ間の友人関係を１つに集約する例を示したが、各ユーザがログ共有サービスにおいて直接友人関係を登録できるようにしてもよい。
【０１９２】
また、以上の説明では、クライアント１３からログデータバンク１１にプライバシレベルの設定情報を送信する例、すなわち、各ユーザがログデータバンク１１に対してプライバシレベルを設定する例を示したが、例えば、各ユーザがサーバ１２が提供する各サービスを利用してプライバシレベルを設定するようにしてもよい。この場合、例えば、各クライアント１３から各サーバ１２を経由してプライバシレベルの設定情報がログデータバンク１１に送信される。
【０１９３】
［コンピュータの構成例］
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【０１９４】
図１２は、上述した一連の処理をプログラムにより実行するコンピュータのハードウエアの構成例を示すブロック図である。
【０１９５】
コンピュータにおいて、CPU（Central Processing Unit）２０１，ROM（Read Only Memory）２０２，RAM（Random Access Memory）２０３は、バス２０４により相互に接続されている。
【０１９６】
バス２０４には、さらに、入出力インタフェース２０５が接続されている。入出力インタフェース２０５には、入力部２０６、出力部２０７、記憶部２０８、通信部２０９、及びドライブ２１０が接続されている。
【０１９７】
入力部２０６は、キーボード、マウス、マイクロフォンなどよりなる。出力部２０７は、ディスプレイ、スピーカなどよりなる。記憶部２０８は、ハードディスクや不揮発性のメモリなどよりなる。通信部２０９は、ネットワークインタフェースなどよりなる。ドライブ２１０は、磁気ディスク、光ディスク、光磁気ディスク、又は半導体メモリなどのリムーバブルメディア２１１を駆動する。
【０１９８】
以上のように構成されるコンピュータでは、CPU２０１が、例えば、記憶部２０８に記憶されているプログラムを、入出力インタフェース２０５及びバス２０４を介して、RAM２０３にロードして実行することにより、上述した一連の処理が行われる。
【０１９９】
コンピュータ（CPU２０１）が実行するプログラムは、例えば、パッケージメディア等としてのリムーバブルメディア２１１に記録して提供することができる。また、プログラムは、ローカルエリアネットワーク、インターネット、デジタル衛星放送といった、有線または無線の伝送媒体を介して提供することができる。
【０２００】
コンピュータでは、プログラムは、リムーバブルメディア２１１をドライブ２１０に装着することにより、入出力インタフェース２０５を介して、記憶部２０８にインストールすることができる。また、プログラムは、有線または無線の伝送媒体を介して、通信部２０９で受信し、記憶部２０８にインストールすることができる。その他、プログラムは、ROM２０２や記憶部２０８に、あらかじめインストールしておくことができる。
【０２０１】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２０２】
また、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０２０３】
さらに、本技術の実施の形態は、上述した実施の形態に限定されるものではなく、本技術の要旨を逸脱しない範囲において種々の変更が可能である。
【０２０４】
例えば、本技術は、１つの機能をネットワークを介して複数の装置で分担、共同して処理するクラウドコンピューティングの構成をとることができる。
【０２０５】
また、上述のフローチャートで説明した各ステップは、１つの装置で実行する他、複数の装置で分担して実行することができる。
【０２０６】
さらに、１つのステップに複数の処理が含まれる場合には、その１つのステップに含まれる複数の処理は、１つの装置で実行する他、複数の装置で分担して実行することができる。
【０２０７】
また、例えば、本技術は以下のような構成も取ることができる。
【０２０８】
（１）
複数のサービスから複数のユーザのログデータを収集する収集部と、
収集したログデータの各サービスへの公開レベルをユーザ毎に設定することが可能な公開レベル設定部と、
設定された前記公開レベルに基づいて、収集したログデータの複数のサービスへの提供を制御する提供制御部と
を備える情報処理装置。
（２）
前記公開レベル設定部は、さらに公開先のサービス毎に前記公開レベルを設定することが可能である
前記（１）に記載の情報処理装置。
（３）
前記公開レベル設定部は、さらにログデータを公開するユーザと閲覧するユーザとの関係に基づいて前記公開レベルを設定することが可能である
前記（１）又は（２）に記載の情報処理装置。
（４）
前記公開レベル設定部は、さらに公開先のサービスがログデータを公開するユーザが利用しているサービスであるか否かに基づいて前記公開レベルを設定することが可能である
前記（１）乃至（３）のいずれかに記載の情報処理装置。
（５）
前記公開レベル設定部は、さらにログデータの種類毎に前記公開レベルを設定することが可能である
前記（１）乃至（４）のいずれかに記載の情報処理装置。
（６）
前記公開レベル設定部は、さらに公開先のサービス、ログデータを公開するユーザと閲覧するユーザとの関係、公開先のサービスがログデータを公開するユーザが利用しているサービスであるか否か、及び、ログデータの種類のうちの１つ、又は、２つ以上の組み合わせに基づいて前記公開レベルを設定することが可能である
前記（１）に記載の情報処理装置。
（７）
前記提供制御部は、前記公開レベルに基づいて、収集したログデータを各サービスに提供する範囲及び態様を制御する
前記（１）乃至（６）のいずれかに記載の情報処理装置。
（８）
情報処理装置が、
複数のサービスから複数のユーザのログデータを収集する収集ステップと、
収集したログデータの各サービスへの公開レベルをユーザ毎に設定することが可能な公開レベル設定ステップと、
設定された前記公開レベルに基づいて、収集したログデータの複数のサービスへの提供を制御する提供制御ステップと
を含む情報処理方法。
（９）
第１のサーバ、所定のサービスを提供する複数の第２のサーバ、及び、前記第２のサーバが提供するサービスを利用する複数のクライアントを含み、
前記第１のサーバは、
複数のサービスから複数のユーザのログデータを収集する収集部と、
収集したログデータの各サービスへの公開レベルをユーザ毎に設定することが可能な公開レベル設定部と、
設定された前記公開レベルに基づいて、収集したログデータの複数のサービスへの提供を制御する提供制御部と
を備える情報処理システム。
【符号の説明】
【０２０９】
１  情報処理システム，  １１  ログデータバンク,  １２−１乃至１２−ｍ  サーバ,  １３−１乃至１３−ｎ  クライアント,  ４１  収集部,  ４２  ユーザ関係設定部,  ４３  公開レベル設定部,  ４４  提供制御部
【図１】
2014029587.tif 000003
【図２】
2014029587.tif 000004
【図３】
2014029587.tif 000005
【図４】
2014029587.tif 000006
【図５】
2014029587.tif 000007
【図６】
2014029587.tif 000008
【図７】
2014029587.tif 000009
【図８】
2014029587.tif 000010
【図９】
2014029587.tif 000011
【図１０】
2014029587.tif 000012
【図１１】
2014029587.tif 000013
【図１２】
2014029587.tif 000014